【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
Ｉｎｔｅｒｎｅｔ  Ｐｒｉｎｔｉｎｇ  Ｐｒｏｔｏｃｏｌに則った印刷データを生成する第１のソフトウェアを予め保持する情報処理装置であって、
画像形成装置を探索する探索手段と、
探索により検出された前記画像形成装置がＩｎｔｅｒｎｅｔ  Ｐｒｉｎｔｉｎｇ  Ｐｒｏｔｏｃｏｌに則った印刷データに対応した画像形成装置であるか否かを判定する判定手段と、
検出された前記画像形成装置がＩｎｔｅｒｎｅｔ  Ｐｒｉｎｔｉｎｇ  Ｐｒｏｔｏｃｏｌに則った印刷データに対応した画像形成装置であると判定されたことに基づき、検出された前記画像形成装置に送信する印刷データが、前記第１のソフトウェアを用いて生成されるように設定する設定手段と、
検出された前記画像形成装置がＩｎｔｅｒｎｅｔ  Ｐｒｉｎｔｉｎｇ  Ｐｒｏｔｏｃｏｌに則った印刷データに対応した画像形成装置でないと判定されたことに基づき、Ｉｎｔｅｒｎｅｔ  Ｐｒｉｎｔｉｎｇ  Ｐｒｏｔｏｃｏｌと異なるプロトコルに則った印刷データを生成する第２のソフトウェアのダウンロードを要求する手段と、を有することを特徴とする情報処理装置。
【請求項２】
前記探索手段により検出された前記画像形成装置を一覧で表示する表示手段をさらに有し、
前記判定手段は、前記一覧に表示された前記画像形成装置であって、ユーザ操作により選択された前記画像形成装置がＩｎｔｅｒｎｅｔ  Ｐｒｉｎｔｉｎｇ  Ｐｒｏｔｏｃｏｌに則った印刷データに対応した画像形成装置であるか否かを判定することを特徴とする請求項１に記載の情報処理装置。
【請求項３】
前記第２のソフトウェアは、画像形成装置の探索機能を有するソフトウェアであることを特徴とする請求項１または２に記載の情報処理装置。
【請求項４】
探索により検出された前記画像形成装置のベンダを示す情報を取得する取得手段をさらに有し、
前記第２のソフトウェアのダウンロードを要求する手段は、取得された前記ベンダを示す情報に基づき特定される前記第２のソフトウェアのダウンロードを要求することを特徴とする請求項１乃至３のいずれか一項に記載の情報処理装置。
【請求項５】
前記探索手段は、第１の探索機能と第２の探索機能により画像形成装置を探索し、
前記判定手段は、前記第１の探索機能により検出された画像形成装置がＩｎｔｅｒｎｅｔ  Ｐｒｉｎｔｉｎｇ  Ｐｒｏｔｏｃｏｌに則った印刷データに対応した画像形成装置であるか否かを判定することを特徴とする請求項１乃至４のいずれか一項に記載の情報処理装置。
【請求項６】
前記判定手段は、前記第２の探索機能により検出された画像形成装置がＩｎｔｅｒｎｅｔ  Ｐｒｉｎｔｉｎｇ  Ｐｒｏｔｏｃｏｌに則った印刷データに対応した画像形成装置であるか否か判定しないことを特徴とする請求項５に記載の情報処理装置。
【請求項７】
前記第２のソフトウェアのダウンロードを要求する手段は、前記第２のソフトウェアをダウンロードするためのページを表示するためのオブジェクトを表示手段に表示させることを特徴とする請求項１乃至６のいずれか一項に記載の情報処理装置。
【請求項８】
Ｉｎｔｅｒｎｅｔ  Ｐｒｉｎｔｉｎｇ  Ｐｒｏｔｏｃｏｌに則った印刷データを生成する第１のソフトウェアを予め保持する情報処理装置であって、
プリンタを探索する探索手段と、
探索により検出された前記画像形成装置がＩｎｔｅｒｎｅｔ  Ｐｒｉｎｔｉｎｇ  Ｐｒｏｔｏｃｏｌに則った所定のフォーマットの印刷データに対応した画像形成装置であるか否かを判定する判定手段と、
探索により検出された前記画像形成装置がＩｎｔｅｒｎｅｔ  Ｐｒｉｎｔｉｎｇ  Ｐｒｏｔｏｃｏｌに則った前記所定のフォーマットの印刷データに対応した画像形成装置であると判定されたことに基づき、検出された前記画像形成装置に送信する印刷データが、前記第１のソフトウェアを用いて生成されるように設定する設定手段と、
検出された前記画像形成装置がＩｎｔｅｒｎｅｔ  Ｐｒｉｎｔｉｎｇ  Ｐｒｏｔｏｃｏｌに則った前記所定のフォーマットの印刷データに適した画像形成装置でないと判定されたことに基づき、Ｉｎｔｅｒｎｅｔ  Ｐｒｉｎｔｉｎｇ  Ｐｒｏｔｏｃｏｌと異なるプロトコルに則った印刷データを生成する第２のソフトウェアのダウンロードを要求する手段と、を有することを特徴とする情報処理装置。
【請求項９】
前記探索手段により検出された前記画像形成装置を一覧で表示する表示手段をさらに有し、
前記判定手段は、前記一覧に表示された前記画像形成装置であって、ユーザ操作により選択された前記画像形成装置がＩｎｔｅｒｎｅｔ  Ｐｒｉｎｔｉｎｇ  Ｐｒｏｔｏｃｏｌに則った前記所定の印刷データに対応した画像形成装置であるか否かを判定することを特徴とする請求項８に記載の情報処理装置。
【請求項１０】
前記第２のソフトウェアは、画像形成装置の探索機能を有するソフトウェアであることを特徴とする請求項８乃至９のいずれか一項に記載の情報処理装置。
【請求項１１】
探索により検出された前記画像形成装置のベンダを示す情報を取得する取得手段をさらに有し、
前記第２のソフトウェアのダウンロードを要求する手段は、取得された前記ベンダを示す情報に基づき特定される前記第２のソフトウェアのダウンロードを要求することを特徴とする請求項８乃至１０のいずれか一項に記載の情報処理装置。
【請求項１２】
前記探索手段は、第１の探索機能と第２の探索機能により画像形成装置を探索し、
前記判定手段は、前記第１の探索機能により検出された画像形成装置がＩｎｔｅｒｎｅｔ  Ｐｒｉｎｔｉｎｇ  Ｐｒｏｔｏｃｏｌに則った前記所定のフォーマットの印刷データに対応した画像形成装置であるか否かを判定することを特徴とする請求項８乃至１１のいずれか一項に記載の情報処理装置。
【請求項１３】
前記判定手段は、前記第２の探索機能により検出された画像形成装置がＩｎｔｅｒｎｅｔ  Ｐｒｉｎｔｉｎｇ  Ｐｒｏｔｏｃｏｌに則った所定のフォーマットの印刷データに対応した画像形成装置であるか否か判定しないことを特徴とする請求項１２に記載の情報処理装置。
【請求項１４】
前記第２のソフトウェアのダウンロードを要求する手段は、前記第２のソフトウェアをダウンロードするためのページを表示するためのオブジェクトを表示手段に表示させることを特徴とする請求項８乃至１３のいずれか一項に記載の情報処理装置。
【請求項１５】
前記所定のフォーマットはＰＷＧ−Ｒａｓｔｅｒであることを特徴とする請求項８乃至１４のいずれか一項に記載の情報処理装置。
【請求項１６】
Ｉｎｔｅｒｎｅｔ  Ｐｒｉｎｔｉｎｇ  Ｐｒｏｔｏｃｏｌに則った印刷データを生成する第１のソフトウェアを予め保持する情報処理装置の制御方法であって、
画像形成装置を探索する探索工程と、
前記探索工程において検出された前記画像形成装置がＩｎｔｅｒｎｅｔ  Ｐｒｉｎｔｉｎｇ  Ｐｒｏｔｏｃｏｌに則った印刷データに対応した画像形成装置であるか否かを判定する判定工程と、
前記判定工程において、検出された前記画像形成装置がＩｎｔｅｒｎｅｔ  Ｐｒｉｎｔｉｎｇ  Ｐｒｏｔｏｃｏｌに則った印刷データに対応した画像形成装置であると判定されたことに基づき、検出された前記画像形成装置に送信する印刷データが、前記第１のソフトウェアを用いて生成されるように設定する設定工程と、
前記判定工程において、検出された前記画像形成装置がＩｎｔｅｒｎｅｔ  Ｐｒｉｎｔｉｎｇ  Ｐｒｏｔｏｃｏｌに則った印刷データに対応した画像形成装置でないと判定されたことに基づき、Ｉｎｔｅｒｎｅｔ  Ｐｒｉｎｔｉｎｇ  Ｐｒｏｔｏｃｏｌと異なるプロトコルに則った印刷データを生成する第２のソフトウェアのダウンロードを要求する工程と、を有することを特徴とする情報処理装置の制御方法。
【請求項１７】
請求項１６に記載の制御方法をコンピュータに実行させるためのコンピュータプログラム。
【手続補正２】
【補正対象書類名】明細書
【補正対象項目名】発明の名称
【補正方法】変更
【補正の内容】
【発明の名称】情報処理装置、情報処理装置の制御方法、およびコンピュータプログラム
【手続補正３】
【補正対象書類名】明細書
【補正対象項目名】０００１
【補正方法】変更
【補正の内容】
【０００１】
本発明は、情報処理装置、情報処理装置の制御方法、およびコンピュータプログラムに関する。
【手続補正４】
【補正対象書類名】明細書
【補正対象項目名】００１２
【補正方法】変更
【補正の内容】
【００１２】
本発明の一実施形態の情報処理装置は、Ｉｎｔｅｒｎｅｔ  Ｐｒｉｎｔｉｎｇ  Ｐｒｏｔｏｃｏｌに則った印刷データを生成する第１のソフトウェアを予め保持する情報処理装置であって、画像形成装置を探索する探索手段と、探索により検出された前記画像形成装置がＩｎｔｅｒｎｅｔ  Ｐｒｉｎｔｉｎｇ  Ｐｒｏｔｏｃｏｌに則った印刷データに対応した画像形成装置であるか否かを判定する判定手段と、検出された前記画像形成装置がＩｎｔｅｒｎｅｔ  Ｐｒｉｎｔｉｎｇ  Ｐｒｏｔｏｃｏｌに則った印刷データに対応した画像形成装置であると判定されたことに基づき、検出された前記画像形成装置に送信する印刷データが、前記第１のソフトウェアを用いて生成されるように設定する設定手段と、検出された前記画像形成装置がＩｎｔｅｒｎｅｔ  Ｐｒｉｎｔｉｎｇ  Ｐｒｏｔｏｃｏｌに則った印刷データに対応した画像形成装置でないと判定されたことに基づき、Ｉｎｔｅｒｎｅｔ  Ｐｒｉｎｔｉｎｇ  Ｐｒｏｔｏｃｏｌと異なるプロトコルに則った印刷データを生成する第２のソフトウェアのダウンロードを要求する手段と、を有する。